(57)【要約】【課題】２系統の回路のうちの何れの回路と接続されているのか判別しやすい切替開閉器を提供する。【解決手段】摘み部４ａに、第１オフ表示部２５、第２オフ表示部２６、第１オン表示部３５、及び第２オン表示部３６を有する状態表示部材２１を取り付け、第１オン状態では、第２オフ表示部２６及び第１オン表示部３５が操作窓５内に露出し、第２オン状態では、第１オフ表示部２５及び第２オン表示部３６が操作窓５内に露出し、更にオフ状態では、第１オフ表示部２５及び第２オフ表示部２６のみが操作窓５内に露出するようにした。したがって、操作窓５内で切替開閉器５０における回路のオン／オフ状態を表示するため、表示部に係るスペースを確保しやすく、作業者にしてみると切替開閉器５０における回路のオン／オフ状態の判別がしやすい。【選択図】図４
2015225716.tif 000002
【特許請求の範囲】
【請求項１】
本体ケースの上面に操作窓が開設されているとともに、前後方向へ回動操作可能な操作ハンドルの摘み部が、前記操作窓を介して前記本体ケースから上方へ突出しており、
前記摘み部を前側に傾倒させることにより２系統の回路のうち一方の回路と接続した第１オン状態となり、前記摘み部を後側に傾倒させることにより前記２系統の回路のうち他方の回路と接続した第２オン状態となり、更に前記摘み部を前後方向での中間位置で起立させることにより前記２系統の回路の両方と接続していないオフ状態となる切替開閉器であって、
前記摘み部の前記本体ケース内にある基部側に、前記操作ハンドルの回動軸を中心とした円弧状に沿って前記摘み部から前後へ延びる状態表示部を設け、前記操作ハンドルの回動操作に応じ、前記状態表示部も、前記操作ハンドルの回動軸を中心とした円周上を前後方向へスライド可能とするとともに、
前記状態表示部の前記摘み部よりも前側の上面で、前記摘み部を前記中間位置で起立させた際に前記操作窓内に露出する位置に、前記一方の回路と接続されていないことを表示する第１オフ表示部を設ける一方、前記状態表示部の前記摘み部よりも後側の上面で、前記摘み部を前記中間位置で起立させた際に前記操作窓内に露出する位置に、前記他方の回路と接続されていないことを表示する第２オフ表示部を設け、
さらに、前記状態表示部の前記第２オフ表示部よりも後側の上面で、前記摘み部を前記中間位置で起立させた際には前記操作窓よりも後側に位置し、且つ、前記摘み部を前側へ傾倒させた際に前記操作窓内に露出する位置に、前記一方の回路と接続されていることを表示する第１オン表示部を設ける一方、前記状態表示部の前記第１オフ表示部よりも前側の上面で、前記摘み部を前記中間位置で起立させた際には前記操作窓よりも前側に位置し、且つ、前記摘み部を後側へ傾倒させた際に前記操作窓内に露出する位置に、前記他方の回路と接続されていることを表示する第２オン表示部を設けたことを特徴とする切替開閉器。
【発明の詳細な説明】
【技術分野】
【０００１】
本発明は、２系統の回路の切り替えを行うための切替開閉器に関するものである。
【背景技術】
【０００２】
従来、接続先を２系統の回路のうちの何れか一方へ切り替える切替開閉器には、前後方向へ回動操作可能な操作ハンドルが設けられている（たとえば特許文献１）。また、切替開閉器には、２系統の回路のうちの何れの回路と接続した状態にあるのかを表示する表示部も設けられている。そして、その表示部は、本体ケースの上面で、操作ハンドルの摘み部を本体ケースの外側へ突出させるため操作窓に隣接した位置に設けられることが多い。
【先行技術文献】
【特許文献】
【０００３】
【特許文献１】特開２００３−１２３５９７号公報
【発明の概要】
【発明が解決しようとする課題】
【０００４】
しかしながら、本体ケースの上面は、表示部として確保できるスペースに限りがあることが多く、上記従来よく見受けられる位置では表示部が小さくなってしまい、２系統の回路のうちの何れの回路と接続されているのか判別しづらいといった問題がある。
【０００５】
そこで、本発明は、上記問題に鑑みなされたものであって、２系統の回路のうちの何れの回路と接続されているのか判別しやすい切替開閉器を提供しようとするものである。
【課題を解決するための手段】
【０００６】
上記目的を達成するために、本発明は、本体ケースの上面に操作窓が開設されているとともに、前後方向へ回動操作可能な操作ハンドルの摘み部が、前記操作窓を介して前記本体ケースから上方へ突出しており、前記摘み部を前側に傾倒させることにより２系統の回路のうち一方の回路と接続した第１オン状態となり、前記摘み部を後側に傾倒させることにより前記２系統の回路のうち他方の回路と接続した第２オン状態となり、更に前記摘み部を前後方向での中間位置で起立させることにより前記２系統の回路の両方と接続していないオフ状態となる切替開閉器であって、前記摘み部の前記本体ケース内にある基部側に、前記操作ハンドルの回動軸を中心とした円弧状に沿って前記摘み部から前後へ延びる状態表示部を設け、前記操作ハンドルの回動操作に応じ、前記状態表示部も、前記操作ハンドルの回動軸を中心とした円周上を前後方向へスライド可能とするとともに、前記状態表示部の前記摘み部よりも前側の上面で、前記摘み部を前記中間位置で起立させた際に前記操作窓内に露出する位置に、前記一方の回路と接続されていないことを表示する第１オフ表示部を設ける一方、前記状態表示部の前記摘み部よりも後側の上面で、前記摘み部を前記中間位置で起立させた際に前記操作窓内に露出する位置に、前記他方の回路と接続されていないことを表示する第２オフ表示部を設け、さらに、前記状態表示部の前記第２オフ表示部よりも後側の上面で、前記摘み部を前記中間位置で起立させた際には前記操作窓よりも後側に位置し、且つ、前記摘み部を前側へ傾倒させた際に前記操作窓内に露出する位置に、前記一方の回路と接続されていることを表示する第１オン表示部を設ける一方、前記状態表示部の前記第１オフ表示部よりも前側の上面で、前記摘み部を前記中間位置で起立させた際には前記操作窓よりも前側に位置し、且つ、前記摘み部を後側へ傾倒させた際に前記操作窓内に露出する位置に、前記他方の回路と接続されていることを表示する第２オン表示部を設けたことを特徴とする。
【発明の効果】
【０００７】
本発明によれば、操作窓内で切替開閉器における回路のオン／オフ状態を表示する、すなわち２系統の回路のうちの何れの回路と接続されているのか、それともどちらの回路とも接続されていないのかを表示することができる。そのため、表示部に係るスペースを確保しやすく、作業者にしてみると切替開閉器における回路のオン／オフ状態の判別がしやすい。
【図面の簡単な説明】
【０００８】
【図１】切替開閉器を示した説明図であって、（ａ）は斜視図、（ｂ）は上面図である。
【図２】本体ケースを構成する第１ケース部材を示した斜視説明図である。
【図３】状態表示部材を上方から示した説明図である。
【図４】オフ状態にある切替開閉器の内部構造を示した側面説明図である。
【図５】第１オン状態にある切替開閉器の内部構造を示した側面説明図である。
【図６】第２オン状態にある切替開閉器の内部構造を示した側面説明図である。
【図７】操作窓内でのオン／オフ表示を示した説明図であり、（ａ）はオフ状態、（ｂ）は第１オン状態、（ｃ）は第２オン状態を夫々示している。
【発明を実施するための形態】
【０００９】
以下、本発明の一実施形態となる切替開閉器について、図面にもとづき詳細に説明する。
【００１０】
図１は、切替開閉器５０を示した説明図であって、（ａ）は斜視図、（ｂ）は上面図である。図２は、本体ケース１０を構成する第１ケース部材１０ａを示した斜視説明図である。図３は、状態表示部材２１を上方から示した説明図である。図４は、オフ状態にある切替開閉器５０の内部構造を示した側面説明図である。図５は、第１オン状態にある切替開閉器５０の内部構造を示した側面説明図である。図６は、第２オン状態にある切替開閉器５０の内部構造を示した側面説明図である。図７は、操作窓５内でのオン／オフ表示を示した説明図であり、（ａ）はオフ状態、（ｂ）は第１オン状態、（ｃ）は第２オン状態を夫々示している。
【００１１】
切替開閉器５０は、３線からなる２系統の回路（図示せず）を切り替えるものであって、本体ケース１０の前部には、電線を接続可能な３つの端子金具１ａ〜１ｃを有する切替元端子１、及び同じく電線を接続可能な３つの端子金具２ａ〜２ｃを有し、２系統のうちの一方の回路が接続される第１系統端子２が設けられている。一方、本体ケース１０の後部には、電線を接続可能な３つの端子金具３ａ〜３ｃを有し、２系統のうちの他方の回路が接続される第２系統端子３が設けられている。また、本体ケース１０は、左右に４分割して形成されており、本体ケース１０の前側から見て左側の３部材（第１ケース部材１０ａ、第２ケース部材１０ｂ、及び第３ケース部材１０ｃ）が、３線からなる回路に対する切替機構を収容している。一方、本体ケース１０の前側から見て右端の第４ケース部材１０ｄは、本体ケース１０の右側面を閉塞する閉塞板として構成されている。さらに、この本体ケース１０の上面に操作窓５が開設されており、本体ケース１０内で切替機構９に連結されている操作ハンドル４の摘み部４ａが、当該操作窓５を介して本体ケース１０の外側（上側）へ突出している。なお、６（図４等に示す）は、切替機構９等を介して操作ハンドル４に連結され、操作ハンドル４の回動操作に応じて前後方向へ移動する可動接点部である。また、７（図４等に示す）は、第１系統端子２に接続された第１固定接点であり、８（図４等に示す）は、第２系統端子３に接続された第２固定接点である。
【００１２】
そして、切替開閉器５０では、操作ハンドル４の摘み部４ａを前側へ傾倒させることにより、可動接点部６が前側へ傾倒して第１固定接点７と接触し、切替元端子１と第１系統端子２とが接続された第１オン状態となる。また、摘み部４ａを後側へ傾倒させることにより、可動接点部６が後側へ傾倒して第２固定接点８と接触し、切替元端子１と第２系統端子３とが接続された第２オン状態となる。さらに、摘み部４ａを前後方向での中間位置にて起立させることにより、可動接点部６が両固定接点７、８から離隔し、切替元端子１が第１系統端子２と第２系統端子３との何れにも接続されないオフ状態となる。
【００１３】
ここで、本発明の要部となる切替開閉器５０のオン／オフ状態の表示に係る構成について詳細に説明する。
切替開閉器５０のオン／オフ状態の表示は、操作ハンドル４の摘み部４ａに嵌着されて操作ハンドル４の回動操作に直接連動する状態表示部材２１を用いて行う。状態表示部材２１は、前後方向での中央部が前後両端部よりも上方へ膨出する側面視円弧状、言い換えるなら操作ハンドル４の回動軸を中心とした円弧状に形成された帯状体であり、その前後方向での中央部には、先細り状に形成された摘み部４ａの所定の高さ位置までを挿通可能とした挿通孔２４が開設されている。
【００１４】
さらに、状態表示部材２１の挿通孔２４よりも前側の前後方向での長さは、摘み部４ａを後側へ傾倒させた際に操作窓５内を覆うのに十分な長さとなっている。そして、状態表示部材２１の挿通孔２４よりも前側の上面で、挿通孔２４の近傍位置、すなわち摘み部４ａを中間位置にて起立させた際、操作窓５内に露出する位置には、切替元端子１と第１系統端子２とがオフ状態にあることを表示する第１オフ表示部２５が設けられている。また、状態表示部材２１の挿通孔２４よりも前側の上面において、第１オフ表示部２５の更に前側となる位置、すなわち摘み部４ａを中間位置にて起立させた際には操作窓５外（操作窓５よりも前側）に位置し、且つ、摘み部４ａを後側へ傾倒させた際には操作窓５内に露出する位置には、切替元端子１と第２系統端子３とがオン状態にある（第２オン状態にある）ことを表示する第２オン表示部３６が設けられている。
【００１５】
一方、状態表示部材２１の挿通孔２４よりも後側の前後方向での長さは、状態表示部材２１の挿通孔２４よりも前側の前後方向での長さと略同じであり、摘み部４ａを前側へ傾倒させた際に操作窓５内を覆うのに十分な長さとなっている。そして、状態表示部材２１の挿通孔２４よりも後側の上面で、挿通孔２４の近傍位置、すなわち摘み部４ａを中間位置にて起立させた際、操作窓５内に露出する位置には、切替元端子１と第２系統端子３とがオフ状態にあることを表示する第２オフ表示部２６が設けられている。また、状態表示部材２１の挿通孔２４よりも後側の上面において、第２オフ表示部２６の更に後側となる位置、すなわち摘み部４ａを中間位置にて起立させた際には操作窓５外（操作窓５よりも後側）に位置し、且つ、摘み部４ａを前側へ傾倒させた際には操作窓５内に露出する位置には、切替元端子１と第１系統端子２とがオン状態にある（第１オン状態にある）ことを表示する第１オン表示部３５が設けられている。
【００１６】
そして、状態表示部材２１は、摘み部４ａを下方から挿通孔２４に挿通させた状態で、本体ケース１０内の上部における操作窓５の下側に設けられた収納空間Ｓ（図５等に示す）に設置されている。この設置状態にあっては、挿通孔２４の開口縁が、摘み部４ａの本体ケース１０内にある基部側の周面に当接しており、状態表示部材２１は、操作ハンドル４の回動操作に直接連動して、操作ハンドル４の回動軸を中心とした円周上を前後方向へスライドすることになる。
【００１７】
上記状態表示部材２１によるオン／オフ状態の表示動作を具体的に説明すると、摘み部４ａが中間位置にて起立するオフ状態である場合、図７（ａ）に示すように、操作窓５内において摘み部４ａよりも前側には第１オフ表示部２５が、摘み部４ａよりも後側には第２オフ表示部２６が夫々露出する。また、第１オン表示部３５及び第２オン表示部３６は、操作窓５外に位置している。したがって、作業者にしてみると、両オン表示部３５、３６は視認し得ず、両オフ表示部２５、２６のみが視認可能となる。
【００１８】
ここで、操作ハンドル４を前側に回動操作して第１オン状態に切り替えると、図５に示すように状態表示部材２１は前方へスライドし、第１オフ表示部２５が操作窓５よりも前方へ移動して本体ケース１０により被覆される格好となる。そして、操作窓５内には、図７（ｂ）に示すように、第２オフ表示部２６と第１オン表示部３５とが摘み部４ａの後側に露出することになる。このように、操作ハンドル４を前側に回動操作して第１オン状態とすると、第２オフ表示部２６及び第１オン表示部３５が視認可能となり、切替元端子１と第１系統端子２とがオン状態であり、且つ、切替元端子１と第２系統端子３とがオフ状態である旨が表示される。
【００１９】
一方、操作ハンドル４を後側に回動操作して第２オン状態に切り替えると、図６に示すように状態表示部材２１は後方へスライドし、第２オフ表示部２６が操作窓５よりも後方へ移動して本体ケース１０により被覆される格好となる。そして、操作窓５内には、図７（ｃ）に示すように、第１オフ表示部２５と第２オン表示部３６とが摘み部４ａの前側に露出することになる。このように、操作ハンドル４を後側に回動操作して第２オン状態とすると、第１オフ表示部２５及び第２オン表示部３６が視認可能となり、切替元端子１と第１系統端子２とがオフ状態であり、且つ、切替元端子１と第２系統端子３とがオン状態である旨が表示される。
【００２０】
以上のように構成される切替開閉器５０によれば、摘み部４ａの本体ケース１０内にある基部側に、操作ハンドル４の回動軸を中心とした円弧状に沿って摘み部４ａから前後へ延びるように状態表示部材２１を取り付け、操作ハンドル４の回動操作に応じ、状態表示部材２１も、操作ハンドル４の回動軸を中心とした円周上を前後方向へスライド可能とするとともに、状態表示部材２１の摘み部４ａよりも前側の上面で、摘み部４ａを中間位置で起立させた際に操作窓５内に露出する位置に、切替元端子１と第１系統端子２とがオフ状態にあることを表示する第１オフ表示部２５を設ける一方、状態表示部材２１の摘み部４ａよりも後側の上面で、摘み部４ａを中間位置で起立させた際に操作窓５内に露出する位置に、切替元端子１と第２系統端子３とがオフ状態にあることを表示する第２オフ表示部２６を設けた。さらに、状態表示部材２１の第２オフ表示部２６よりも後側の上面で、摘み部４ａを中間位置で起立させた際には操作窓５よりも後側に位置し、且つ、摘み部４ａを前側へ傾倒させた際に操作窓５内に露出する位置に、切替元端子１と第１系統端子２とがオン状態にあることを表示する第１オン表示部３５を設ける一方、状態表示部材２１の第１オフ表示部２５よりも前側の上面で、摘み部４ａを中間位置で起立させた際には操作窓５よりも前側に位置し、且つ、摘み部４ａを後側へ傾倒させた際に操作窓５内に露出する位置に、切替元端子１と第２系統端子３とがオン状態にあることを表示する第２オン表示部を設けた。したがって、操作窓５内で切替開閉器５０における回路のオン／オフ状態を表示する、すなわち２系統の回路のうちの何れの回路と接続されているのか、それともどちらの回路とも接続されていないのかを表示することができる。そのため、表示部に係るスペースを確保しやすく、作業者にしてみると切替開閉器５０における回路のオン／オフ状態の判別がしやすい。
【００２１】
また、１つの状態表示部材２１のみで切替開閉器５０における回路のオン／オフ状態を表示することができ、部品点数の少ない簡素な構造とすることができる。
さらに、状態表示部材２１と操作ハンドル４とを別体としているため、状態表示部２１が破損した場合に、状態表示部材２１のみを交換することができ、利便性に富む。
【００２２】
なお、本発明に係る切替開閉器は、上記実施形態の態様に何ら限定されるものではなく、切替開閉器の全体的な構成は勿論、回路のオン／オフ状態の表示等に係る構成についても、本発明の趣旨を逸脱しない範囲で、必要に応じて適宜変更することができる。
【００２３】
たとえば、上記実施形態では、操作ハンドルと状態表示部材とを別体としているが、摘み部に状態表示部を一体成形して構成することも可能である。
また、上記実施形態では、３極からなる切替開閉器としているが、２線からなる回路を切り替える場合は２極で構成すれば良いし、本体ケースについても２つのケース部材を組み付ける等としても何ら問題はない。
【符号の説明】
【００２４】
１・・切替元端子、２・・第１系統端子、３・・第２系統端子、４・・操作ハンドル、４ａ・・摘み部、５・・操作窓、６・・可動接点部、７・・第１固定接点、８・・第２固定接点、９・・切替機構、１０・・本体ケース、２１・・状態表示部材（状態表示部）、２４・・挿通孔、２５・・第１オフ表示部、２６・・第２オフ表示部、３５・・第１オン表示部、３６・・第２オン表示部。
【図１】
2015225716.tif 000003
【図２】
2015225716.tif 000004
【図３】
2015225716.tif 000005
【図４】
2015225716.tif 000006
【図５】
2015225716.tif 000007
【図６】
2015225716.tif 000008
【図７】
2015225716.tif 000009